(57)【要約】【課題】利用者の身長差を吸収するための長さ調節の範囲を超えて、平地で利用する際の長さ（高さ）と、急傾斜地での下り勾配での利用に必要な長さ（高さ）に長さ調整が可能である伸縮自在ステッキを明らかにする。【解決手段】ステッキ本体と、その上端に取り付けられるグリップと、下端に取り付けられる石突き構造とから成り、該ステッキ本体は、直径を異にする複数本のパイプで構成されており、小径のパイプが大径のパイプの中に入れ子状態に収納することで伸縮自在であり、少なくとも２本のパイプの間には、利用者の身長差を吸収するアジャスト長に加えて、下り勾配のために必要な長さのアジャスト長を持つ伸縮機構が備えられ、前記石突き構造には、着脱自在の石突きに被包された状態で先端が鋭利である金属製スパイクが備えられ、該金属製スパイクを被包する石突きを収納する小袋が備えられている平地用と登山用を兼ねた伸縮自在ステッキである。【選択図】  図１
2004344454.tif 000002
【特許請求の範囲】
【請求項１】
ステッキ本体と、その上端に取り付けられるグリップと、下端に取り付けられる石突き構造とから成り、該ステッキ本体は、直径を異にする複数本のパイプで構成されており、小径のパイプが大径のパイプの中に入れ子状態に収納することで伸縮自在であり、少なくとも２本のパイプの間には、利用者の身長差を吸収するアジャスト長に加えて、下り勾配のために必要な長さのアジャスト長を持つ伸縮機構が備えられており、前記石突き構造には、着脱自在の石突きに被包された状態で先端が鋭利である金属製スパイクが備えられており、更に、該金属製スパイクを被包する石突きを収納する小袋が備えられていることを特徴とする平地用と登山用を兼ねた伸縮自在ステッキ。
【請求項２】
小袋を取り付ける紐の１部がグリップを把持する利用者の手首に係合させるためのループを形成していることを特徴とする請求項１に記載の平地用と登山用を兼ねた伸縮自在ステッキ。
【発明の詳細な説明】
【０００１】
【発明の属する技術分野】
本発明は、平地での使用と、登山やトレッキングなどの際の傾斜地での使用を兼ねることのできる伸縮自在なステッキに関する。
【０００２】
【従来の技術】
この明細書においてステッキ（ａ  ｓｔｉｃｋ，  ａ  ｗａｌｋｉｎｇ  ｓｔｉｃｋ）とは、丸パイプなどで形成したステッキ本体の上端にグリップを、下端に石突きをそれぞれ取り付けたものを指し、グリップが取り付けられていない、やや長い１本の棒であり、利用者が握る位置（高さ）を自由に変えることができるものを、杖（ａ  ｃａｎｅ，  ａ  ｓｏｌｅ  ｓｕｐｐｏｒｔ）とする。
【０００３】
上記から理解できるように、ステッキは、利用者が握る位置を自由に変更することができる杖の場合と異なり、利用者の身長や腕の長さに従ってグリップの位置が定められる、即ち、ステッキの長さ（石突きの先端からグリップまでの長さ、ないしグリップの高さ）は、利用者が自然な姿勢で立って、上腕を脇の下に付け、肘から先をほんの少し前方に曲げる、この状態でグリップを手で握ることができる長さ（高さ）とされる。従って、ステッキでは、利用に先立ち、利用者を正確に計測してステッキ本体を切りつめるなどしてグリップの高さを調整することが必要である。
【０００４】
上記のステッキは、言わばマイステッキであり或る個人専用の高級品であるが、汎用目的の市販品では、利用者の身長や腕の長さのバラツキに対応させる目的で、或いは、携帯時には短くすることができるようにするために、ステッキ本体を構成するパイプ本体を例えば３本繋ぎなどの複数本の繋ぎ構造としたものが知られており、一般に携帯用ステッキ或いは伸縮自在ステッキなどと呼ばれている。
【０００５】
上記の携帯用ステッキ或いは伸縮自在ステッキは、携帯を重要視するために、全伸状態（最長に伸ばした状態）と全縮状態（最短に縮めた状態）の２通りの形態変換を自在とするよう構成されている。
【０００６】
特許文献１には、大中小と径の異なるパイプを中子構造で組み合せ、全伸状態と全縮状態の２通りの変換を自在とすると共に、利用者の身長差に対応させるために、全伸状態より少し縮めた長さなどに調整することが可能な伸縮自在ステッキが記載されている。
【０００７】
特許文献２には、ステッキの下端に、積雪時に利用する折り畳み式の鍔状体と、アイスバーンで利用する鋭利な石突きと、この石突きを被覆するキャップとを備えた構造の夏山冬山兼用の登山用ステッキが記載されている。
【０００８】
特許文献３には、バネ付きピンを内側パイプに用意して、該ピンを外側パイプに用意した小孔に係合させることで外側パイプと内側パイプを固定する構成の杖が記載されている。
【０００９】
【特許文献１】特開平７−５１１０９号公報
【特許文献２】第３０３２８２９号登録実用新案公報
【特許文献３】実開平３−２７２３９号公報
【００１０】
【発明が解決しようとする課題】
携帯用ステッキないし伸縮自在ステッキは、上記したように、利用者が普通の生活地域であるなだらかな平地を歩行する姿勢を基準にして高さ（グリップの位置）が調整できるように構成されており、また、利用者の身長差にも対応できる構成となっているが、下りの坂道で利用しようとすると、長さ（高さ）が足りないという事態が生じる。
【００１１】
また、近年の塾年者は、その健康維持のために、かなりの高山に向かう傾向があって、このような場合には、かなり急な上り勾配や下り勾配に対応するために、平地用と異なる登山用のステッキが必要となる。上記したように、普段利用している平地用のステッキでは、高さが平地歩行の姿勢に対応させているために、例え身長のバラツキを吸収するために長さ調整できるよう構成されている伸縮自在ステッキとはいえ、急傾斜地での利用を可能にするだけの長さの調節は予定されていないので、これに対応することができない。
【００１２】
更に、塾年者は、本人の精神に関わりなく肉体的衰退は否定しがたいものがあり、急傾斜地での歩行が続くと、腕力、特に握力の低下が著しく、急な場合に思わずグリップを手放してしまい、ステッキを取り落としてしまうなどのアクシデントが発生しやすい。
【００１３】
本発明は、上記に鑑みて創作されたものであり、利用者の身長差を吸収するための長さ調節の範囲を超えて、平地で利用する際の長さ（高さ）と、急傾斜地での下り勾配での利用に必要な長さ（高さ）にステッキ本体の長さの調整が可能である伸縮自在ステッキを明らかにすることを課題とするものであり、舗装されていない登山道や滑りやすいハイキングコースなどで利用するのに最適であり、グリップを握る握力が弱った状態に至ってもステッキを取り落としたりすることのない、平地用と登山用を兼ねた伸縮自在ステッキを明らかにするものである。
【００１４】
【課題を解決するための手段】
上記課題を解決する本発明は、下記構成を有する。
１．ステッキ本体と、その上端に取り付けられるグリップと、下端に取り付けられる石突き構造とから成り、該ステッキ本体は、直径を異にする複数本のパイプで構成されており、小径のパイプが大径のパイプの中に入れ子状態に収納することで伸縮自在であり、少なくとも２本のパイプの間には、利用者の身長差を吸収するアジャスト長に加えて、下り勾配のために必要な長さのアジャスト長を持つ伸縮機構が備えられており、前記石突き構造には、着脱自在の石突きに被包された状態で先端が鋭利である金属製スパイクが備えられており、更に、該金属製スパイクを被包する石突きを収納する小袋が備えられていることを特徴とする平地用と登山用を兼ねた伸縮自在ステッキ。
【００１５】
２．小袋を取り付ける紐の１部がグリップを把持する利用者の手首に係合させるためのループを形成していることを特徴とする前記１に記載の平地用と登山用を兼ねた伸縮自在ステッキ。
【００１６】
【発明の実施の形態】
図１に示すように、本発明に係る平地用と登山用を兼ねた伸縮自在ステッキは、後述するように伸縮自在に構成されているステッキ本体１０と、その上端に取り付けられるグリップ２０と、下端に取り付けられる石突き構造３０とで形成されるものであり、以下、各部分に付いて詳細に説明する。
【００１７】
ステッキ本体１０は、この実施例では、直径を異にする３本の丸パイプ１１、１２、１３で構成されており、丸パイプ１２は丸パイプ１１の中に、丸パイプ１３は丸パイプ１２の中に、それぞれ入れ子状態に収納可能に構成されており、所定の位置に固定するための固定手段４０、４６が用意されている。
【００１８】
丸パイプ１１と丸パイプ１２との間の固定手段４０を説明する。丸パイプ１１には、所定の間隔で小孔４１が連続的に用意されており、他方、丸パイプ１２の端部近くには、図示しない板バネ或いはコイルスプリングなどにより外方向に付勢された状態でピン４２が用意されており、丸パイプ１１の中に入れ子状態にある丸パイプ１２を引き出して、前記ピン４２が丸パイプ１１に用意されている小孔４１の位置に当接すると、ピン４２が小孔４１から飛び出して、丸パイプ１１と丸パイプ１２との固定が行われる。
【００１９】
上記の態様で、複数個用意される（図示の態様では１０個の）小孔４１の両端部の小孔４１Ａと４１Ｃの間の長さＬ１は、利用者の身長差を吸収するのに必要なアジャスト長さＬ２を越えて、下り勾配対応のためのアジャスト長となっている。例えば、各小孔４１関の間隔を３ｃｍとすると、小孔４１Ｂと小孔４１Ｃとの間の長さＬ２は６ｃｍとなる、つまり小孔４１の数×３ｃｍがアジャスト可能長となる。
【００２０】
従来の伸縮ステッキでは、アジャスト長Ｌ２だけが、利用者の身長差を吸収するのに必要な長さとして設定されており、それ以上は長くできない構造、即ち、利用者の身長差を吸収するのに必要なアジャスト長さＬ２を越えるアジャスト長Ｌ１が用意されていなかったので、かなり急な下り勾配に対応させる必要のある登山用ないしハイキング用のステッキとしては利用できない構成であった。
【００２１】
図示の実施態様では、小孔４１が約３ｃｍ間隔で１０個用意されており、３０ｃｍに及ぶアジャスト長があるので、特にかなり急な下り坂で利用する場合でも、利用者の歩行バランスを安全に支持することができ、平地に戻れば、即座に適当な長さにアジャストさせることが可能であり、更に、登り坂にあっては直ちに短い長さにアジャストさせることができる。
【００２２】
尚、上記の構成におけるピン４２の取り付け構造並びにその付勢構造に関しては限定的な要素ではなく、公知の、例えば特許文献３に記載の構成などの他に種々の構成を採用することができる。
【００２３】
また、符号５０及び５１は、それぞれ丸パイプ１１と１２の端部に用意されているネジ機構に係合させる小筒体であって、入れ子状態にある各パイプが抜け出るのを防ぐ機構である。尚、この小筒体５０・５１を強く締め付けることによりパイプ１１と１２、及びパイプ１２と１３とを任意の長さ（小孔４１とピン４２を結合させていない状態）の結合状態に保つことができるが、この結合状態は突然に解除されてしまう危険がある。従って、小孔４１・４７とピン４２・４８とを正確に係合させた上で、小筒体５０・５１を締め付けて、ピン４２・４８が小孔４１・４７から脱落してしまうのを防止するのが好ましい。
【００２４】
次に、丸パイプ１２と丸パイプ１３との間の固定手段４６を説明すると、丸パイプ１２の端部近くには小孔４７が用意されており、他方、丸パイプ１３の端部近くには、板バネ或いはコイルスプリングなどにより外方向に付勢された状態でピン４８が用意されており、丸パイプ１２の中に入れ子状態にある丸パイプ１３を引き出して、前記ピン４８が丸パイプ１２に用意されている小孔４７の位置に当接すると、ピン４８が小孔４７から飛び出して、丸パイプ１２と丸パイプ１３との固定が行われる。
【００２５】
上記の態様は、丸パイプ１２と丸パイプ１３とが伸びた状態と縮んだ状態の切り替えであるが、丸パイプ１２の側に用意する小孔４７の数を増やせば多段の長さ調節が可能となる。
【００２６】
尚、上記の構成におけるピン４８の取り付け構造並びにその付勢構造に関しては限定的な要素ではなく、公知の種々の構成を採用することができる。
【００２７】
以上の実施例では、３本のパイプ１１、１２、１３を繋ぎ合わせる構成で説明したが、４本以上の構成とすることもできる。
【００２８】
図２に従って、石突き構造３０を説明する。丸パイプ１３の端部には、滑り止め及び摩耗損傷を防ぐ働きを持つゴム製或いはプラスチックス製などの石突き３１に被包された構造で、先端が鋭利である金属製スパイク３２が備えられている。石突き３１は中空構造となっており、その内周面には、金属製スパイク３２の雄ネジに係合する雌ネジが用意されている。従って、該ネジ機構を使って石突き３１を簡単に取り外したり取り付けたりすることができる。金属製スパイク３２は、鋭利な先端を持っているので、滑り易い岩場や赤土層などの傾斜地で利用するのに適している。
【００２９】
グリップ２０には、取り外した石突き３１を収納しておくための小袋６０が、紐などにより結着されている。小袋６０の開放部への紐の取り付けは、自由に設定することができ、例えば巾着締めの構成と締め具６１による締め付けなどが併用可能である。
【００３０】
頭記したように、熟練者の腕力なかんずく握力の低下は否定しがたく、平地ではともかく傾斜地の歩行ではグリップを握る力が弱まり、急に滑ったような場合にグリップ２０を握る手を放してしまうなどのアクシデントが発生しやすい。このため、小袋６１を取り付ける紐の１部を利用して、グリップ２０を把持する利用者の手首に係合させるためのループ６２を形成しておくのが好ましい。このように構成することで、利用者は、その手首にループ６２を係合させておくことができ、グリップ２０を手放してしまったなどのアクシデントの際にも、ステッキを放り出すような事態の発生を防ぐことができる。
【００３１】
尚、上記の構成と異なり、小袋６０は、グリップ２０にではなく、ステッキ本体１０の上方に取り付けるようにしてもよい。
【００３２】
尚、石突き３１は利用している内に、先端が摩耗したり変形したり、場合によっては破損してしまうことがあり、金属製スパイク３２から着脱自在な交換部品として用意しておけば、適宜に新規なものと交換することができる利点がある。交換用の石突き３１を、上記した小袋６０に収納して用意しておけば、よくある事である、交換部品の紛失を防止することができる。
【００３３】
グリップ２０は、その垂直部が中空に形成されており、その中空部に丸パイプ１１の上端部が嵌入されて固定される構成となっている。単なる嵌入でなく、例えば、ネジ機構による態様、或いは接着剤による固定を併用する態様などとすることが可能である。
【００３４】
【発明の効果】
本発明に係る平地用と登山用を兼ねた伸縮自在ステッキによれば、従来の伸縮自在ステッキが、利用者の身長差を吸収するアジャスト長しか用意されていないので、平地での利用に限られていたのに対し、利用者の身長差を吸収するアジャスト長を越えるアジャスト長が用意されているので、急な傾斜地での利用者のバランスの保持に有効である。また、ゴム製或いはプラスチックス製の石突きと鋭利な先端を有する金属製のスパイクとの切り替え利用が可能であるので、滑り易い岩場や赤土層などの傾斜地で利用するのに適しており、そして、取り外した石突きを小袋に収納しておくことで、紛失させることなく、利用時に直ぐに取り出して装着が可能であるし、また、交換用の石突きを小袋に収納しておくことで、よくある交換部品の紛失を防止することができ、更に、請求項２に記載の発明によれば、小袋を取り付ける紐でループを形成してあるので、これを手首に係合させておくことで、ステッキの取り落としを防ぐことができ、頭記した課題が解決される。
【図面の簡単な説明】
【図１】本発明に係る伸縮自在ステッキの実施例を示す正面図
【図２】石突き構造部分の拡大断面図
【符号の説明】
１０−ステッキ本体
１１−パイプ
１２−パイプ
１３−パイプ
２０−グリップ
３０−石突き構造
３１−石突き
３２−金属製スパイク
４０−パイプの固定手段
４１−小孔
４２−ピン
４６−パイプの固定手段
４７−小孔
４８−ピン
５０−小筒体（パイプの脱落防止機構）
５１−小筒体（パイプの脱落防止機構）
６０−小袋
６１−締め具
６２−ループ
Ｌ１−下り勾配での利用のためのアジャスト長
Ｌ２−利用者の身長差を吸収するのに必要なアジャスト長
【図１】
2004344454.tif 000003
【図２】
2004344454.tif 000004